(57)【特許請求の範囲】
【請求項１】
写真感光材料に画像を露光する画像露光装置の筐体に開閉可能な扉が備えられ、その画像露光装置から外部に放射される電磁波を遮蔽するための画像露光装置用の電磁波遮蔽構造であって、
前記扉が揺動開閉式に構成され、
前記扉に、前記筐体側に形成されている前記扉用の開口を覆うための扉側導電部材が備えられ、
前記筐体側に、前記扉の閉じ状態において、前記扉側導電部材の端縁部と近接する筐体側導電部材が備えられ、
前記扉側導電部材の端縁部と前記筐体側導電部材とのうちの一方の導電部材は、表面がそれらの導電部材の接近離間方向に沿うように配置された平板状部分を備えて形成され、他方の導電部材は、前記扉の閉じ状態において、前記平板状部分を挟むように断面がコの字状に形成されることによって、
前記扉側導電部材の端縁部と前記筐体側導電部材とが、前記扉が閉じた状態で、前記扉側導電部材の端縁部と前記筐体側導電部材との間に形成される電磁波の進行経路が蛇行する形状に形成されて構成されている画像露光装置用の電磁波遮蔽構造。
【請求項２】
前記一方の導電部材は、前記平板状部分の基端側に、前記扉の閉じ状態において、前記他方の導電部材のコの字状部分の先端に対向する向きで配置される基端側板材が連設されて構成されている請求項１記載の画像露光装置用の電磁波遮蔽構造。
【請求項３】
前記扉は、前記扉側導電部材が板金加工にて形成されると共に、前記画像露光装置の外表面側において前記扉側導電部材を覆う樹脂製カバーを備えて構成されている請求項１又は２記載の画像露光装置用の電磁波遮蔽構造。
【請求項４】
前記扉が、前記画像露光装置の外方側に向かって凸となる形状に形成されている請求項３記載の画像露光装置用の電磁波遮蔽構造。
【発明の詳細な説明】
【０００１】
【発明の属する技術分野】
本発明は、写真感光材料に画像を露光する画像露光装置の筐体に開閉可能な扉が備えられ、その画像露光装置から外部に放射される電磁波を遮蔽するための画像露光装置用の電磁波遮蔽構造に関する。
【０００２】
【従来の技術】
一般に、電子機器は、その電子機器が発生する電磁波が他の機器を誤動作させてしまうことを防止するため、発生する電磁波を抑制する対策が取られている。
この対策としては、例えば、その電子機器の筐体に電磁シールドを施すことが考えられている。
この電磁シールドのための構成としては、筐体を金属板にて構成し、保守等のために取り外し可能なカバー部分は、ねじ止めにより周囲の部分と強固に接続する方法が取られるのが一般的である。
【０００３】
【発明が解決しようとする課題】
しかしながら、上記従来構成では、保守作業の発生頻度がある程度高くなる電子機器の場合では、カバー部分の取り外し作業に手間がかかってしまう不都合がある。
このような場合、保守作業等のために筐体に備えた扉を、上記のような「ねじ止め」を行わず、開閉操作を容易なものとしながら電磁シールドを確実に行う手段として、例えば、閉じた状態の扉と筐体との間をいわゆるソフトシールドガスケットを用いて塞ぐ方法が考えられるが、電子機器のコストアップにつながる。
本発明は、かかる実情に鑑みてなされたものであって、その目的は、コストアップを抑制しながら、より確実に電磁シールドを行える構造を提供する点にある。
【０００４】
【課題を解決するための手段】
上記請求項１記載の構成を備えることにより、写真感光材料に画像を露光する画像露光装置の筐体に開閉可能な扉が備えられ、その画像露光装置から外部に放射される電磁波を遮蔽するための画像露光装置用の電磁波遮蔽構造において、前記扉が揺動開閉式に構成され、前記扉に、前記筐体側に形成されている前記扉用の開口を覆うための扉側導電部材が備えられ、前記筐体側に、前記扉の閉じ状態において、前記扉側導電部材の端縁部と近接する筐体側導電部材が備えられ、前記扉側導電部材の端縁部と前記筐体側導電部材とのうちの一方の導電部材は、表面がそれらの導電部材の接近離間方向に沿うように配置された平板状部分を備えて形成され、他方の導電部材は、前記扉の閉じ状態において、前記平板状部分を挟むように断面がコの字状に形成されることによって、前記扉側導電部材の端縁部と前記筐体側導電部材とが、前記扉が閉じた状態で、前記扉側導電部材の端縁部と前記筐体側導電部材との間に形成される電磁波の進行経路が蛇行する形状に形成されて構成されている。
【０００５】
すなわち、画像露光装置の筐体に備えられた扉を閉じた状態において、扉に備えられた扉側導電部材の端縁部とその端縁部に近接する筐体側の筐体側導電部材との間にわずかな隙間があったとしても、前記扉側導電部材の端縁部と前記筐体側導電部材との間に形成される電磁波の進行経路が蛇行する形状となっているので、画像露光装置の内部から放射される電磁波は、その進行経路を通過する途中で反射と吸収とを繰り返して十分に減衰される。
従って、扉に備えられる部材と筐体側の部材とを上述のような形状に形成するだけの簡素の構成で電磁波の漏れを十分に抑制でき、もって、コストアップを抑制しながら、より確実に電磁シールドを行える構造を提供できるに至った。
しかも、扉が揺動開閉式に構成されていることとの関係で、電磁波の進行経路が蛇行する形状に形成するについて、上記のように平板状部分を有する部材とそれを挟むようにコの字状に形成される部材との単純な形状の組み合わせによって、確実に電磁シールドを形成することができるので、より一層の低コスト化を図ることができる。
更に、上記画像露光装置おいては、写真感光材料を取り扱う関係上、装置筐体の外部から光が進入するのを確実に防止する必要があり、前記扉を閉じた状態でのわずかな隙間から入る光も遮断する事が望まれる。
そこで、上述のように、扉に備えた扉側導電性部材と筐体側導電性部材との間で、電磁波の進行経路を蛇行させるようにすることで、画像露光装置の外部に電磁波が漏れ出るのを抑制できるのと同時に、光が筐体内へ侵入するのを抑制することができるものとなる。
又、上記請求項２記載の構成を備えることにより、前記一方の導電部材は、前記平板状部分の基端側に、前記扉の閉じ状態において、前記他方の導電部材のコの字状部分の先端に対向する向きで配置される基端側板材が連設されて構成されている。
従って、上記基端側板材を付加することによって、全体としての形状の単純化を維持しながら、より一層電磁波の遮蔽効果を向上させることができる。
【０００６】
又、上記請求項３記載の構成を備えることにより、前記扉は、前記扉側導電部材が板金加工にて形成されると共に、前記画像露光装置の外表面側において前記扉側導電部材を覆う樹脂製カバーを備えて構成されている。
画像露光装置に備えられて保守等に使用される扉は、デザイン面や操作性等を考慮して一般に複雑な形状となる場合が少なくない。
このような場合、例えば扉を金属板のプレス加工により製作する方法では、形状が複雑になればなるほど製造コストが高くなり、あるいは、扉を樹脂成形して導電性塗料にて塗装するような方法では、このような塗装コストが高コストであるためにやはり画像露光装置の製造コストが高くなってしまう。
そこで、上記のように、形状が複雑化する傾向の強い画像露光装置の外表面側は、低コストで製作可能な樹脂カバーにて所望の形状に形成し、前記扉側導電性部材は単純な形状として板金加工にて製作することで、確実に電磁シールドを行うようにしている。
もって、画像露光装置に備えられる扉の外表面の形状が複雑化するような場合でも、コストアップを抑制しながら、より確実に電磁シールドを行える構造を提供できるに至った。
【０００７】
又、上記請求項４記載の構成を備えることにより、前記扉が、前記画像露光装置の外方側に向かって凸となる形状に形成されている。
すなわち、画像露光装置内の各装置の配置の都合等の理由によって、扉を、画像露光装置の外方側に向かって凸となる比較的複雑な形状に形成する必要があるときは、上述のように、プレス加工による方法や導電性塗料の塗装による方法では製造コストの増大に結びつくのに対し、樹脂製カバーと板金加工により製作した扉側導電性部材とを組み合わせることが、コストアップの抑制や確実な電磁シールドの面で極めて好適である。
【００１１】
【発明の実施の形態】
以下、本発明の画像露光装置用の電磁波遮蔽構造の実施の形態を、図面に基づいて説明する。
本実施の形態で例示する画像露光装置ＥＰは、写真感光材料の一つである印画紙に画像を露光する装置であり、図５のブロック構成図に示すように、現像処理済みの写真フィルム１（以下、単に「フィルム１」と略称する）の駒画像を読み取るフィルムスキャナＦＳと組み合わせて、いわゆるデジタルミニラボ機として知られている写真焼付装置ＤＰを構成する。
【００１２】
〔フィルムスキャナＦＳの概略構成〕
フィルムスキャナＦＳには、図５に概略的に示すように、ハロゲンランプ１０と、ハロゲンランプ１０から出射した光の色バランスを調整するための調光フィルタ１１と、調光フィルタ１１を通過した光を均等に混色するミラートンネル１２と、搬送機構１３ａや図示を省略するフィルムマスク等が備えられてフィルム１を所定の読取り位置に位置させるフィルムマスクユニット１３と、フィルム１の駒画像を光電変換するためのＣＣＤラインセンサユニット１４と、フィルム１の画像をＣＣＤラインセンサユニット１４上に結像させるためのレンズ１５と、光路を９０度屈曲させるためのミラー１６と、ＣＣＤラインセンサユニット１４の出力信号を増幅及びＡ／Ｄ変換等する処理回路１７と、その処理回路１７の出力信号に基づいて画像露光装置ＥＰのための露光用データを生成すると共にフィルムスキャナＦＳ内の各部の作動を制御するスキャナ制御部１８と、仕上がりプリント画像をシミュレートしたシミュレート画像や各種の制御用の情報を表示するモニタ１９と、スキャナ制御部１８に対して露光条件の手動設定等を入力操作するための操作卓２０とが設けられている。
【００１３】
ＣＣＤラインセンサユニット１４は、約５０００個のＣＣＤ素子をフィルム１の幅方向に配列したＣＣＤラインセンサを３列に並べて備えており、各ＣＣＤラインセンサの受光面には夫々赤色、緑色、青色のカラーフィルタが形成されて、フィルム１の駒画像を色分解して検出する。
フィルムスキャナＦＳでは、フィルムマスクユニット１３にフィルム１がセットされると、搬送機構１３ａにてフィルム１の搬送が開始され、駒画像が順次読み取られて、赤色、緑色、青色毎のデジタル画像データとしてスキャナ制御部１８に出力される。
【００１４】
スキャナ制御部１８では、処理回路１７から入力された画像データによってプリントを作成した場合に得られるであろうシミュレート画像を演算して求め、それをモニタ１９に表示する。
オペレータは、このモニタ１９上のシミュレート画像を観察して、適正な画像が得られていなければ、操作卓２０から露光条件の修正入力操作を行う。
スキャナ制御部１８は、処理回路１７から入力された画像データとその修正入力とに従って予め設定された演算条件で露光用データを生成する。
尚、詳細な説明は省略するが、フィルムスキャナＦＳには、光磁気ディスクやＣＤ−ＲＯＭ等の各種の記憶媒体を読み取る読取り装置が備えられており、フィルム１の駒画像以外にも、それらの媒体に記録された画像データに基づいてプリントを作製することができる。
【００１５】
〔画像露光装置ＥＰの構成〕
画像露光装置ＥＰは、図４にその外観を示すように、フィルムスキャナＦＳとは別体で構成され、印画紙２に画像を露光する画像露光ユニット２５と、画像露光ユニット２５にて露光された印画紙２を現像処理する現像処理部２６と、印画紙マガジン５から引き出された印画紙２を現像処理部２６へ搬送する印画紙搬送系ＰＴと、現像処理部２６にて現像された印画紙２をオーダ毎に分類するためのソータ３と、現像処理部２６から排出された印画紙２をソータ３へ搬送するコンベア４と、これら各部を制御する露光制御部２７とが設けられている。
【００１６】
更に、印画紙搬送系ＰＴの搬送経路の途中には、印画紙マガジン５から引き出された長尺の印画紙２を設定プリントサイズに切断するカッタ２８と、そのカッタ２８で切断され一列で搬送される印画紙２を複数の搬送列に振り分けるための振り分け装置２９が備えられている。
画像露光ユニット２５は、搬送移動される印画紙２に対して、赤色，緑色及び青色のレーザビームをライン状に走査することで画像を露光形成するいわゆるレーザ露光式の露光装置を内蔵しているが、いわゆるＰＬＺＴ光シャッタ方式や液晶シャッタ方式、更にはＣＲＴ方式等の露光ユニットを採用しても良い。
【００１７】
〔画像露光装置ＥＰの筐体内の配置構成〕
画像露光装置ＥＰの筐体正面側に備えられた観音開き式の正面側扉３０の内部における機器の配置を正面視で概略的に示す図１のように、正面側扉３０の内方には、装置下端に印画紙マガジン５を装填するためのマガジン収納部ＭＬが左右一対に配置され、左右一対のマガジン収納部ＭＬの間の空間には、前記印画紙搬送系ＰＴの一部を構成し前記振り分け装置２９や複数の搬送ローラ２４ａ等を収納する露光前搬送ユニット３２が配置され、正面視で右側のマガジン収納部ＭＬの上部には、前記露光制御部２７を収納する制御ボックス３４が配置されている。
露光前搬送ユニット３２の上部には、画像露光ユニット２５による露光箇所において印画紙２を搬送する露光搬送ユニット３３が配置され、制御ボックス３４の上部には、前記画像露光ユニット２５が配置されている。露光搬送ユニット３３にも複数の搬送ローラ２４ｂ等が収納されている。
【００１８】
露光搬送ユニット３３及び画像露光ユニット２５の上部には、画像露光ユニット２５にて露光された印画紙２を露光搬送ユニット３３から受け取って搬送する第１露光後搬送ユニット４５，第２露光後搬送ユニット４６及び第３露光後搬送ユニット４７が配置されている。第１〜第３露光後搬送ユニット４５，４６，４７にも、他の搬送ユニットと同様に複数の搬送ローラ２４ｃが収納され、露光搬送ユニット３３等と同様に印画紙搬送系ＰＴの一部を構成する。
画像露光装置ＥＰの筐体上部側には、これら第１〜第３露光後搬送ユニット４５，４６，４７に対して保守作業を行うための上部側扉３１が備えられており、図４に示すように、水平軸心周りに揺動開閉される。上部側扉３１の形状は、上記第１〜第３露光後搬送ユニット４５，４６，４７が周囲の筐体の上面よりも上方に突出した位置に配置されている関係もあって、画像露光装置ＥＰの外方側に向かって凸となる形状に形成されている。
【００１９】
上部側扉３１は、図１及び図２に示すように、画像露光装置ＥＰの筐体側に形成されている上部側扉３１用の開口を覆うための扉側導電部材５０に、画像露光装置ＥＰの外表面側において扉側導電部材５０を覆う樹脂製カバー５１を固定して構成されている。扉側導電部材５０は、樹脂製カバー５１に比べて単純化された形状であるので金属板（例えば、鉄板）をいわゆる板金加工して形成されている。
樹脂製カバー５１の端縁部は、この部分を拡大して側方視の断面図として示す図３（ａ）や、斜視図として示す図３（ｂ）のように、平板の縦壁５０ａの周囲に、金属板を階段状に屈曲形成したアングル部材５０ｂが溶接されて構成されている。
【００２０】
上述の上部側扉３１の構成に対応して、画像露光装置ＥＰの筐体側に、上部側扉３１の閉じ状態において、扉側導電部材５０の端縁部と近接する筐体側導電部材５２が備えられている。
筐体側導電部材５２は、図２に示すように、全体として長方形の枠体として形成され、筐体に備えられた他の金属カバー等と確実に固定されて、上部側扉３１の開口を形成している。
筐体側導電部材５２の詳細な構造は、図３（ａ），図３（ｂ）に示すように、長方形の枠体を構成する各辺が金属板を階段状に屈曲形成することにより作製され、それら各辺の長手方向端部を互いに溶接した構造となっている。
【００２１】
筐体側導電部材５２の上部は、図３（ａ），（ｂ）に示すように、それの表面が扉側導電部材５０と筐体側導電部材５２との接近離間方向に沿うように配置された平板状部分５２ａを備えるように形成され、更に、その平板状部分５２ａの基端側に、平板状部分５２ａと略直交する状態で基端側板材５２ｂが連設される形となっている。
上部側扉３１を筐体側導電部材５２を備えた筐体に対して閉じ操作すると、図３（ａ）に示すように、扉側導電部材５０の端縁部は、縦壁５０ａの下端部とアングル部材５０ｂとによって断面がコの字状の形状を形成して、前記平板状部分５２ａを挟み、更に、基端側板材５２ｂが前記コの字状部分の先端に対向する向きで配置される位置関係となる。
扉側導電部材５０の端縁部と筐体側導電部材５２とが上記のような位置関係となることで、扉側導電部材５０の端縁部と筐体側導電部材５２とが、上部側扉３１が閉じた状態で、扉側導電部材５０の端縁部と筐体側導電部材５２との間に形成される電磁波の進行経路が屈曲する状態で蛇行する形状となっている。
【００２２】
〔電磁波の遮蔽効果の測定〕
次に、上部側扉３１付近を上述のように構成したときの電磁波の遮蔽効果について、実際の測定結果に基づいて説明する。
上部側扉３１付近を上述のように構成したときの電磁波の遮蔽効果を、ＥＭＩ規格の一つである『ＥＮ５５０２２』に従って電磁波ノイズのレベルを測定した結果を表１に示す。
【表１】
0003748045.tif 000002
又、比較のために、扉側導電部材５０からアングル部材５０ｂを取り除き、更に、扉側導電部材５０の縦壁５０ａの下端付近と筐体側導電部材５２の平板状部分５２ａとの間にソフトシールドガスケットを密着させることによって、電磁波の遮蔽構造を構成した場合の同条件での測定結果を表２に示す。
【表２】
0003748045.tif 000003
表１の測定結果と表２の測定結果を比較すると、本発明の実施の形態にかかる電磁波遮蔽構造は、ソフトシールドガスケットを使用することによって相当程度の電磁波の遮蔽効果を有する表２の結果と同程度の良好な結果を示している。
尚、表１や表２の結果は、上部側扉３１を含む筐体の性能試験が主目的であるので、筐体内部の機器の電磁波の発生自体を抑制する対策は十分には施しておらず、これらの対策を施すことによって画像露光装置ＥＰから漏れ出る電磁波のレベルは更に抑制される。又、詳細な説明は省略するが、画像露光装置ＥＰの筐体正面側の正面側扉３０についても上記と同様の電磁波遮蔽構造が適用されている。
【００２３】
〔別実施形態〕
以下、本発明の別実施形態を列記する。
【００２４】
（４）  上記実施の形態では、筐体側導電部材５２の平板状部分５２ａを、扉側導電部材５０のコの字状部分で挟むように配置して電磁波遮蔽構造を構成しているが、これとは逆に、扉側導電部材５０に上記実施の形態における平板状部分５２ａに相当するものを備え、筐体側導電部材５２に上記実施の形態におけるコの字状部分に相当するものを備えて構成しても良い。更に、両方の導電部材に上記コの字状の部分を備えても良い。
（５）  上記実施の形態では、上部側扉３１を扉側導電部材５０と樹脂製カバー５１とによって構成しているが、上部側扉３１全体を板金加工にて構成しても良い。
【図面の簡単な説明】
【図１】本発明の実施の形態にかかる画像露光装置内部の配置説明図
【図２】本発明の実施の形態にかかる扉の構成図
【図３】本発明の実施の形態にかかる要部拡大図
【図４】本発明の実施の形態にかかる画像露光装置の外観斜視図
【図５】本発明の実施の形態にかかる写真焼付装置のブロック構成図
【符号の説明】
３１    扉
５０    扉側導電部材
５２    筐体側導電部材
５１    樹脂製カバー
５２ａ  平板状部分
５２ｂ  基端側板材
ＥＰ    画像露光装置
【図１】
0003748045.tif 000004
【図２】
0003748045.tif 000005
【図３】
0003748045.tif 000006
【図４】
0003748045.tif 000007
【図５】
0003748045.tif 000008